(57)【要約】      （修正有）【課題】複数のプリント配線板を保持する構造において、プリント配線板の組立順序の過誤を防止することができる放送受信装置を提供する。【解決手段】カードホルダは、カードが差し込まれる第１から第６のカードコネクタが実装された第１から第６のプリント配線板１２Ａ〜１２Ｆが、それぞれ第１から第５のスタッキングコネクタ１３Ａ〜１３Ｅを介して、電気的に接続されるとともに物理的に固定されている。第１から第５のスタッキングコネクタ１３Ａ〜１３Ｅの幅Ｗ１〜Ｗ５は、順に短くなっている。【選択図】図３
2011103485.tif 000002
【特許請求の範囲】
【請求項１】
第１プリント配線板と、
前記第１プリント配線板に重ねられた第２プリント配線板と、
前記第１プリント配線板とは反対側で前記第２プリント配線板に重ねられた第３プリント配線板と、
前記第２プリント配線板とは反対側で前記第３プリント配線板に重ねられた第４プリント配線板と、
前記第１プリント配線板および前記第２プリント配線板の何れか少なくとも一方の端部に設けられ、前記第１プリント配線板と前記第２プリント配線板との間に位置される第１部分を含み、前記第１プリント配線板と前記第２プリント配線板を電気的に接続する第１コネクタと、
前記第２プリント配線板および前記第３プリント配線板の何れか少なくとも一方の端部に設けられ、前記第２プリント配線板と前記第３プリント配線板との間に位置されるとともに前記第１部分とは異なる形状を有した第２部分を含み、前記第２プリント配線板と前記第３プリント配線板を電気的に接続する第２コネクタと、
前記第２プリント配線板および前記第３プリント配線板の何れか少なくとも一方の端部に設けられ、前記第３プリント配線板と前記第４プリント配線板との間に位置されるとともに前記第１部分および前記第２部分とは異なる形状を有した第３部分を含み、前記第３プリント配線板と前記第４プリント配線板を電気的に接続した第３コネクタと、
を有した放送受信装置。
【請求項２】
第１プリント配線板と、
前記第１プリント配線板に重ねられた第２プリント配線板と、
前記第１プリント配線板とは反対側で前記第２プリント配線板に重ねられた第３プリント配線板と、
前記第２プリント配線板とは反対側で前記第３プリント配線板に重ねられた第４プリント配線板と、
前記第１プリント配線板と前記第２プリント配線板との間に延びた第１部分を含み、前記第１プリント配線板と前記第２プリント配線板を電気的に接続する第１コネクタと、
前記第２プリント配線板と前記第３プリント配線板との間に延びるとともに前記第１部分とは異なる形状を有した第２部分を含み、前記第２プリント配線板と前記第３プリント配線板を電気的に接続する第２コネクタと、
前記第３プリント配線板と前記第４プリント配線板との間に延びるとともに前記第１部分および前記第２部分とは異なる形状を有した第３部分を含み、前記第３プリント配線板と前記第４プリント配線板を電気的に接続した第３コネクタと、
を有した放送受信装置。
【請求項３】
前記第１乃至第３コネクタは、前記第１コネクタから前記第３コネクタにかけて、順に幅が広くなるように設けられることを特徴とする請求項１又は２に記載の放送受信装置。
【請求項４】
前記第２コネクタは、前記第１プリント配線板、前記第２プリント配線板及び前記第３プリント配線板との間で信号を伝送することを特徴とする請求項１乃至３のいずれか１項に記載の放送受信装置。
【請求項５】
前記第１乃至第４プリント配線板は、カードを着脱するためのカードコネクタをそれぞれ有し、
前記カードコネクタに着脱されるカードの種類が前記カードコネクタ毎に異なることを特徴とする請求項４に記載の放送受信装置。
【請求項６】
前記カードは、放送波の復号化を行うための鍵情報を有することを特徴とする請求項５に記載の放送受信装置。
【請求項７】
前記放送波を受信するチューナをさらに備えることを特徴とする請求項６に記載の放送受信装置。
【発明の詳細な説明】
【技術分野】
【０００１】
本発明は、カードホルダを備える放送受信装置に関する。
【背景技術】
【０００２】
電子回路を複数の機能ブロックに分割して複数のプリント配線板上に実装し、各々の機能ブロックに対応する複数のプリント配線板を接続することによって大規模な電子回路を実現する電子回路装置が知られている。
【０００３】
複数のプリント配線板を接続する際に、プリント配線板を接続する順序を間違え、プリント配線板間で出力信号同士が衝突する危険性がある。このような事態を回避するために、プリント配線板同士を接続するコネクタの識別情報と各基板の積層位置情報とを用いて、正しく接続されていると判定した場合にのみ出力信号を出力可能とする技術が開示されている（例えば、特許文献１参照）。
【先行技術文献】
【特許文献】
【０００４】
【特許文献１】特開２００６−３０３１６７号公報
【発明の概要】
【発明が解決しようとする課題】
【０００５】
上述した電子回路装置の一例として、地上波デジタル放送をテレビ等で受信する際に必要なＢ−ＣＡＳ（ＢＳ−Ｃｏｎｄｉｔｉｏｎａｌ  Ａｃｃｅｓｓ  Ｓｙｓｔｅｍｓ）カードを差し込んで保持するカードホルダが挙げられる。このＢ−ＣＡＳカードホルダにおいては、６枚のプリント配線板がスタッキングコネクタを介して接続されている。
【０００６】
複数のプリント配線板の組立順序を示すために、各プリント配線板上に順序を示す数字を付記している。しかし、組立作業が人為的に行われるため、過誤が全く起こらないように防止することはできなかった。
【０００７】
本発明の目的は、複数のプリント配線板を保持する構造において、プリント配線板の組立順序の過誤を防止することができるカードホルダを備える放送受信装置を提供することである。
【課題を解決するための手段】
【０００８】
目的を達成するため、本発明の一つの形態に係る放送受信装置は、第１プリント配線板と、第１プリント配線板に重ねられた第２プリント配線板と、第１プリント配線板とは反対側で第２プリント配線板に重ねられた第３プリント配線板と、第２プリント配線板とは反対側で第３プリント配線板に重ねられた第４プリント配線板と、第１プリント配線板および第２プリント配線板の何れか少なくとも一方の端部に設けられ、第１プリント配線板と第２プリント配線板との間に位置される第１部分を含み、第１プリント配線板と第２プリント配線板を電気的に接続する第１コネクタと、第２プリント配線板および第３プリント配線板の何れか少なくとも一方の端部に設けられ、第２プリント配線板と第３プリント配線板との間に位置されるとともに第１部分とは異なる形状を有した第２部分を含み、第２プリント配線板と第３プリント配線板を電気的に接続する第２コネクタと、第２プリント配線板および第３プリント配線板の何れか少なくとも一方の端部に設けられ、第３プリント配線板と第４プリント配線板との間に位置されるとともに第１部分および第２部分とは異なる形状を有した第３部分を含み、第３プリント配線板と第４プリント配線板を電気的に接続した第３コネクタと、を有する。
【０００９】
また、本発明の一つの形態に係る放送受信装置は、第１プリント配線板と、第１プリント配線板に重ねられた第２プリント配線板と、第１プリント配線板とは反対側で第２プリント配線板に重ねられた第３プリント配線板と、第２プリント配線板とは反対側で第３プリント配線板に重ねられた第４プリント配線板と、第１プリント配線板と第２プリント配線板との間に延びた第１部分を含み、第１プリント配線板と第２プリント配線板を電気的に接続する第１コネクタと、第２プリント配線板と第３プリント配線板との間に延びるとともに第１部分とは異なる形状を有した第２部分を含み、第２プリント配線板と第３プリント配線板を電気的に接続する第２コネクタと、第３プリント配線板と第４プリント配線板との間に延びるとともに第１部分および第２部分とは異なる形状を有した第３部分を含み、第３プリント配線板と第４プリント配線板を電気的に接続した第３コネクタと、を有する。
【発明の効果】
【００１０】
上記の構成によれば、複数のプリント配線板を保持する構造において、プリント配線板の組立順序の過誤を防止することができるカードホルダを備える放送受信装置を提供できる。
【図面の簡単な説明】
【００１１】
【図１】第１の実施形態に係るカードホルダを示す斜視図。
【図２】図１に示すカードホルダの縦方向に沿った断面図。
【図３】図１に示すカードホルダを後部から示した斜視図
【図４】図１に示すカードホルダのベースおよび第６のプリント配線板を示す斜視図。
【図５】図４に示すカードホルダのベースに第１から第５のプリント配線板を取り付けた後に支持部材を取り付ける工程を示した斜視図。
【図６】図５に示すカードホルダの取付け工程の次の工程を示した斜視図。
【発明を実施するための形態】
【００１２】
以下に、図１から図６を参照して、テレビジョン受像機に用いられるカードホルダ１１の実施形態について説明する。このカードホルダ１１は、例えば地上波デジタル放送波をテレビジョン受像機等で受信して視聴する際に必要なＢ−ＣＡＳ（ＢＳ−Ｃｏｎｄｉｔｉｏｎａｌ  Ａｃｃｅｓｓ  Ｓｙｓｔｅｍｓ）カードを差し込んで保持するものである。テレビジョン受像機は、地上波デジタル放送波を受信し、各チャンネルを選局するためのチューナを備えている。また、このカードホルダ１１は、テレビジョン受像機の録画装置等に内蔵されており、種類の異なるＢ−ＣＡＳカードを最大で６枚同時に差し込んで保持することができる。
【００１３】
Ｂ−ＣＡＳカードは、Ｂ−ＣＡＳ方式で暗号化された放送波を視聴可能な形に復号化を行うための鍵情報を格納している。Ｂ−ＣＡＳカードの種類としては、ＢＳ・１１０度ＣＳ・地上デジタル共用受信機に対応している「赤カード」、地上デジタル専用受信機に対応している「青カード」、ケーブルテレビ用セットトップボックスに対応している「オレンジカード」等がある。受信機にあわせたカードをカードホルダ１１に挿入することで、各種の放送波が視聴できる。
【００１４】
まず、図１を用いてカードホルダ１１の構造を説明する。図１は、第１の実施形態に係るカードホルダ１１を示す斜視図である。
【００１５】
カードホルダ１１は、第１から第６のプリント配線板１２Ａ〜Ｆにより構成されるプリント配線板ユニット１４と、プリント配線板ユニット１４の底部および側部を取り囲むベース１５と、プリント配線板ユニット１４の前部に取り付けられるガイド１６と、第１から第６のプリント配線板１２Ａ〜Ｆをベース１５に固定するための一対の支持部材１７とを備えている。ガイド１６の開放部３６から差し込み方向Ｓに沿って、カード３２が差し込まれる。
【００１６】
次に、図２を用いて、カードホルダ１１の内部構造を説明する。図２は、図１に示すカードホルダ１１の縦方向に沿った断面図である。
【００１７】
図２に示すように、第１から第６のプリント配線板１２Ａ〜Ｆは、それぞれ上面である第１の面２７と、下面である第２の面２８とを備えている。第１から第６のプリント配線板１２Ａ〜Ｆの第１の面２７には、カード３２が差し込まれる第１から第６のカードコネクタ３３Ａ〜Ｆと、複数の回路部品３４とがそれぞれ実装されている。第１から第６のカードコネクタ３３Ａ〜Ｆは、扁平な薄型の箱形状をなしており、ガイド１６に対向している前部を開放している。この第１から第６のカードコネクタ３３Ａ〜Ｆに対して、図１に示すように、カード３２が差し込まれる。
【００１８】
第１のプリント配線板１２Ａと第２のプリント配線板１２Ｂとの間には、第１のスタッキングコネクタ１３Ａが配置されており、これらを電気的に接続するとともに物理的に固定している。また、第２のプリント配線板１２Ｂと第３のプリント配線板１２Ｃとの間には、第２のスタッキングコネクタ１３Ｂが配置されており、これらを電気的に接続するとともに物理的に固定している。第３のプリント配線板１２Ｃと第４のプリント配線板１２Ｄとの間には、第３のスタッキングコネクタ１３Ｃが配置されており、これらを電気的に接続するとともに物理的に固定している。第４のプリント配線板１２Ｄと第５のプリント配線板１２Ｅとの間には、第４のスタッキングコネクタ１３Ｄが配置されており、これらを電気的に接続するとともに物理的に固定している。第５のプリント配線板１２Ｅと第６のプリント配線板１２Ｆとの間には、第５のスタッキングコネクタ１３Ｅが配置されており、これらを電気的に接続するとともに物理的に固定している。
【００１９】
即ち、第１から第６のプリント配線板１２Ａ〜Ｆに設けられる回線は、それぞれの間に配置される第１から第５のスタッキングコネクタ１３Ａ〜Ｅにより電気的に接続される。
【００２０】
第１から第５のスタッキングコネクタ１３Ａ〜Ｅに備えられる端子の数は互いに異なっている。
【００２１】
第６のプリント配線板１２Ｆに備えられる回線は、第５から第１のプリント配線板１２Ｅ〜Ａにかけて続いている。同様に、第５のプリント配線板１２Ｅに備えられる回線は、第４から第１のプリント配線板１２Ｄ〜Ａにかけて続いている。このようにして、各プリント配線板に備えられる回線は、その上部に挿入されるプリント配線板に続いている。即ち、第６のプリント配線板１２Ｆから第１のプリント配線板１２Ａにかけて、順に回線が増えていく。そのため、第１から第６のプリント配線板１２Ａ〜Ｆが順序正しく組み立てられていないと、カードホルダ１１は正しく機能することができない。
【００２２】
次に、図３を用いて、本発明に係る第１から第５のスタッキングコネクタ１３Ａ〜Ｅについて説明する。図３は、図１に示すカードホルダ１１を後部から示した斜視図である。
【００２３】
図３に示すように、第１から第５のスタッキングコネクタ１３Ａ〜Ｅの幅をＷ１からＷ５と定義する。Ｗ１からＷ５にかけて順に長さが小さくなり、第１から第５のスタッキングコネクタ１３Ａ〜Ｅの中に幅が同一のものは存在しない。
【００２４】
第１から第５のプリント配線板１２Ａ〜Ｅの第２の面２８には、第１から第５のスタッキングコネクタ１３Ａ〜Ｅのそれぞれに嵌合する凹型コネクタが実装されている。第１から第５のスタッキングコネクタ１３Ａ〜Ｅに対応する凹型コネクタが嵌合されることで、各プリント配線板が接続される。従って、カードホルダ１１に保持される第１から第６のプリント配線板１２Ａ〜Ｆの順序を入れ替えることが不可能になる。
【００２５】
即ち、第１のスタッキングコネクタ１３Ａは、第１のプリント配線板１２Ａ及び第２のプリント配線板１２Ｂの接続にのみに用いられる。第２のスタッキングコネクタ１３Ｂは、第２のプリント配線板１２Ｂ及び第３のプリント配線板１２Ｃの接続にのみに用いられる。第３のスタッキングコネクタ１３Ｃは、第３のプリント配線板１２Ｃ及び第４のプリント配線板１２Ｄの接続にのみに用いられる。第４のスタッキングコネクタ１３Ｄは、第４のプリント配線板１２Ｄ及び第５のプリント配線板１２Ｅの接続にのみに用いられる。
【００２６】
第５のスタッキングコネクタ１３Ｅは、第５のプリント配線板１２Ｅ及び第６のプリント配線板１２Ｆの接続にのみに用いられる。これによって、第１から第６のプリント配線板１２Ａ〜Ｆの間で位置が入れ替わらないようになっている。
【００２７】
第１から第５のスタッキングコネクタ１３Ａ〜Ｅは、第１から第６のプリント配線板１２Ａ〜Ｆの外周部の近傍の第２の位置５６に配置されている。この第２の位置５６は、第１から第６のプリント配線板１２Ａ〜Ｆの中央部に対して、後述する第１の位置５５とは反対側の位置に配置される。即ち、第１から第５のスタッキングコネクタ１３Ａ〜Ｅを中央部ではなく、外周部の近傍に設けることで、外部から視認しやすくしている。従って、カードホルダ組立時に作業者からスタッキングコネクタが見えやすくなり、スタッキングコネクタを接続する際の作業性が向上する。
【００２８】
次に、図４から図６を用いて、カードホルダ１１を構成する部品について説明する。まず、図４を用いてベース１５の構造について説明する。図４は、図１に示すカードホルダのベースおよび第６のプリント配線板を示す斜視図である。
【００２９】
図４に示すように、ベース１５は、金属板金で形成されており、「Ｕ」字状の断面形状をなしている。ベース１５は、底壁１５Ａと、底壁１５Ａの対向する一対の辺部からそれぞれ立ち上がった側壁１５Ｂと、側壁１５Ｂの前部上端に設けられた受け片１８と、を有している。側壁１５Ｂは、複数の横長の貫通孔２１と、複数の方形の開口部２２とを有している。受け片１８は、後述する取付部３８の通孔４５に通されたねじを固定するためのねじ穴１８Ａを有している。
【００３０】
また、第２から第６のプリント配線板１２Ｂ〜Ｆの第２から第６のカードコネクタ３３Ｂ〜Ｆの上側には、図４に示すような小片３５がそれぞれ接着されている。小片３５は、第１から第５のプリント配線板１２Ａ〜Ｅの外周部の近傍の第１の位置５５に設けられている。各カードコネクタ３３Ｂ〜Ｆの高さと小片３５との高さとを足し合わせた寸法は、スタッキングコネクタ１３Ａ〜Ｅの高さ寸法と略同等になっている。このため、第１から第６のプリント配線板１２Ａ〜Ｆを互いに対向する方向にスタックする際に、スタッキングコネクタ１３Ａ〜Ｅが設けられた位置が高くなるように第１から第５のプリント配線板１２Ａ〜Ｅが傾いてしまうことが防止されている。なお、小片３５は隣接するプリント配線板１２同士の間にあれば良く、例えば、第１から第５のプリント配線板１２Ａ〜Ｅの第２の面に設けられても良い。また、本実施形態では、小片３５が第２から第６のカードコネクタ３３Ｂ〜Ｆの上側に設けられているため、第２から第５のプリント配線板１２Ｂ〜Ｅ上に広い実装スペースが確保されている。
【００３１】
次に、図５を用いて、支持部材１７の構造について説明する。図５は、図４に示すカードホルダのベースに第１から第５のプリント配線板を取り付けた後に支持部材を取り付ける工程を示した斜視図である。
【００３２】
図５に示すように、一対の支持部材１７は、方形の板状をなしており、第１から第５のプリント配線板１２Ａ〜Ｅに向けて突出した５個の保持爪２３をそれぞれ有している。各保持爪２３は、断面「Ｕ」字状をなしており、第１から第５のプリント配線板１２Ａ〜Ｅを上下から挟んで保持することができる。さらに、各支持部材１７は、側壁１５Ｂの複数の開口部２２のうちの一部に嵌る４個の爪部２４と、側壁１５Ｂの複数の開口部２２のうちの一部に嵌る位置決め用の３個のピン２５と、側壁１５Ｂの複数の開口部２２のうちの１個に嵌りこむフック２６と、を有している。一対の支持部材１７は、フック２６を持ち上げてベース１５との間の係合を解除した後に、爪部２４が外れる方向にスライドさせることで、ベース１５から簡単に取り外すことができる。
【００３３】
また、支持部材１７は、それぞれ折り曲げ部１９を有しており、折り曲げ部１９は、第１から第５のプリント配線板１２Ａ〜Ｅの後ろ側の端部に突き当たってこれらの位置決めを行っている。
【００３４】
次に、図６を用いて、ガイド１６の構造について説明する。図６は、図５に示すカードホルダの取付け工程の次の工程を示した斜視図である。
【００３５】
図６に示すように、ガイド１６は、第１から第６のプリント配線板１２Ａ〜Ｆとは分離して設けられており、カード３２を第１から第６のカードコネクタ３３Ａ〜Ｆの方向に向けて案内することができる。ガイド１６は、合成樹脂を一体に成形したもので構成される。ガイド１６は、第１から第６のカードコネクタ３３Ａ〜Ｆに対応して、計６個の方形の開放部３６を有している。すなわち、ガイド１６は、各開放部３６の周囲を枠状に規定した本体３７と、本体３７に隣接して設けられる取付部３８と、本体３７の下側の端部に設けられるフック部と、第１から第６のカードコネクタ３３Ａ〜Ｆに向けて本体３７から突出する第１から第６の突出片４２Ａ〜Ｆと、第１から第５のプリント配線板１２Ａ〜Ｅに当接するように本体３７から突出した第１から第５の当接片４３Ａ〜Ｅと、を有している。フック部は、ベース１５の底壁１５Ａに設けられた孔部４４に引っ掛かるようになっている。図１に示すように、取付部３８は、ねじを通すための通孔４５を有しており、通孔４５にねじを通すことによって、ガイド１６をベース１５に対して固定することができる。
【００３６】
第１から第６の突出片４２Ａ〜Ｆは、第１から第６のプリント配線板１２Ａ〜Ｆに向けてそれぞれ一対に突出している。第１から第６の突出片４２Ａ〜Ｆは、第１から第６のプリント配線板１２Ａ〜Ｆの第１から第６の溝部３１Ａ〜Ｆの内側にそれぞれ差し込まれており、第１から第６のプリント配線板１２Ａ〜Ｆの第１の面２７から上方に微小量突出している。この第１の面２７から突出した第１から第６の突出片４２Ａ〜Ｆの突出量は、例えば、０．１ｍｍ〜０．４ｍｍ程度である。
【００３７】
第１から第６の突出片４２Ａ〜Ｆは、カード３２の差し込み方向Ｓにおいて、第１から第６の溝部３１Ａ〜Ｆに対して抜き差し可能になっている。第１から第６の突出片４２Ａ〜Ｆは、カード３２の下面に当接して、カード３２を第１から第６のカードコネクタ３３Ａ〜Ｆに向けて下側から案内することができる。
【００３８】
また、第１から第６の突出片４２Ａ〜Ｆは、第１から第６のプリント配線板１２Ａ〜Ｆをそれらが延びている方向、すなわち水平方向において位置決めすることができる。第１から第６の突出片４２Ａ〜Ｆは、第１から第６のプリント配線板１２Ａ〜Ｆとそれぞれ平行な方向に延びている。第１から第６の突出片４２Ａ〜Ｆは、第１から第５の当接片４３Ａ〜Ｅよりも内側の位置に配置されている。
【００３９】
図２に示すように、第１の当接片４３Ａは、第１のプリント配線板１２Ａの第１の面２７に突き当たっている。第２の当接片４３Ｂは、第２のプリント配線板１２Ｂの第１の面２７に突き当たっている。第３の当接片４３Ｃは、第３のプリント配線板１２Ｃの第１の面２７に突き当たっている。第４の当接片４３Ｄは、第４のプリント配線板１２Ｄの第１の面２７に突き当たっている。第５の当接片４３Ｅは、第５のプリント配線板１２Ｅの第１の面２７に突き当たっている。
【００４０】
また、図５に示すように、第１から第６のプリント配線板１２Ａ〜Ｆは、ガイド１６の第１から第６の突出片４２Ａ〜Ｆがそれぞれ差し込まれる第１から第６の溝部３１Ａ〜Ｆを一対に有している。第１から第６の溝部３１Ａ〜Ｆは、各プリント配線板１２Ａ〜Ｆのガイド１６に対向する端部に設けられており、各プリント配線板１２Ａ〜Ｆを厚み方向に貫通している。第１から第６の溝部３１Ａ〜Ｆは、各プリント配線板１２Ａ〜Ｆの端面から第１から第６のカードコネクタ３３Ａ〜Ｆに向かう方向、すなわちカード３２の差し込み方向Ｓに沿ってそれぞれ延びている。
【００４１】
第１から第６の溝部３１Ａ〜Ｆは、図４に示すようにガイド１６に対向する端部の位置に端近部３９をそれぞれ有している。端近部３９は、ガイド１６の本体３７に近づくにつれて拡開したテーパ面を形成している。端近部３９によって、後述する第１から第６の突出片４２Ａ〜Ｆの第１から第６の溝部３１Ａ〜Ｆに対する差し込みを円滑に案内することができる。
【００４２】
続いて、図４から図６を参照して、本実施形態のカードホルダ１１の組立工程について説明する。図４に示すように、まず初めにベース１５の底壁１５Ａに対して第６のプリント配線板１２Ｆをねじ４８等で固定する。次に、第５のスタッキングコネクタ１３Ｅを利用して、第６のプリント配線板１２Ｆに第５のプリント配線板１２Ｅを固定する。次に、第４のスタッキングコネクタ１３Ｄを利用して、第５のプリント配線板１２Ｅに第４のプリント配線板１２Ｄを固定する。さらに、第３のスタッキングコネクタ１３Ｃを利用して、第４のプリント配線板１２Ｄに第３のプリント配線板１２Ｃを固定する。さらに、第２のスタッキングコネクタ１３Ｂを利用して、第３のプリント配線板１２Ｃに第２のプリント配線板１２Ｂを固定する。そして、第１のスタッキングコネクタ１３Ａを利用して、第２のプリント配線板１２Ｂに第１のプリント配線板１２Ａを固定する。この状態では、各スタッキングコネクタ１３Ａ〜Ｅによって、第１から第６のプリント配線板１２Ａ〜Ｆが仮固定された状態となる。
【００４３】
本実施の形態においては、スタッキングコネクタ１３Ａ〜Ｅは、幅Ｗ１〜５が順に短くなるように設けられている。そのため、各スタッキングコネクタ１３Ａ〜Ｅを利用することが可能な第１から第６のプリント配線板１２Ａ〜Ｆは１対に決定されるため、順序を入れ替えることが出来ない。
【００４４】
そして、ベース１５の一方の側壁１５Ｂおよび第１から第６のプリント配線板１２Ａ〜Ｆに対して、１つ目の支持部材１７を装着する。続いて、ベース１５の他方の側壁１５Ｂおよび第１から第６のプリント配線板１２Ａ〜Ｆに対して、２つ目の支持部材１７を装着する。これら支持部材１７の装着は、図５に示すように、まず、ベース１５の側壁１５Ｂに近づける方向Ｄ１に支持部材１７を接近させ、各保持爪２３を貫通孔２１に通し、爪部２４、位置決めピン２５、フック２６をそれぞれ各開口部２２に通すようにする。続いて、支持部材１７を前方に向かう方向Ｄ２に沿って移動させ、各爪部２４を貫通孔２１の周囲の縁部に引っ掛ける。これによって、フック２６が貫通孔２１の内側に落ち込んで、ロック状態となる。また、第１から第６のプリント配線板１２Ａ〜Ｆは、支持部材１７の各保持爪２３によってそれぞれ両側から保持される。
【００４５】
図６に示すように、ガイド１６をカード３２の差し込み方向Ｓに沿って移動させ、ベース１５および第１から第６のプリント配線板１２Ａ〜Ｆに対してガイド１６を固定する。
【００４６】
このとき、ガイド１６の第１から第６の突出片４２Ａ〜Ｆは、それぞれ第１から第６のプリント配線板１２Ａ〜Ｆの第１から第６の溝部３１Ａ〜Ｆの内側に入り込む。また、ガイド１６の第１から第５の当接片４３Ａ〜Ｅは、それぞれ第１から第５のプリント配線板  １２Ａ〜Ｅの第１の面２７に当接する。また、ガイド１６の取付部３８に設けられた固定孔４６に対して、ベース１５の側壁１５Ｂから突出した位置決めリブ４７が差し込まれて、図１に示す状態になる。図１に示す状態では、フック部は、孔部４４の内側に嵌り込んでロック状態となる。この状態で取付部３８の通孔４５、および受け片１８のねじ穴１８Ａに対してねじを固定して、カードホルダ１１の組立工程が完了する。
【００４７】
以上のように構成される本実施の形態に係るカードホルダ１１によれば、第１から第５のスタッキングコネクタ１３Ａ〜Ｅの幅Ｗ１〜５を異ならせることで、カードホルダ１１に挿入される第１から第６のプリント配線板１２Ａ〜Ｆの組立順序の過誤を防止することができる。
【００４８】
即ち、カード３２を差し込むための第１から第６のカードコネクタ３３Ａ〜Ｆが実装された第１から第６のプリント配線板１２Ａ〜Ｆを正しく配置することができる。従って、複数の種類のカード３２を差し込むカードホルダ１１において、各カード３２に対応する第１から第６のカードコネクタ３３Ａ〜Ｆが正しく配置され、カードホルダの製造における信頼性が向上する。
【００４９】
また、第１から第５のスタッキングコネクタ１３Ａ〜Ｅの設置位置を変えることなく形状を変化させるのみであるので、第１から第５のスタッキングコネクタ１３Ａ〜Ｅの配置スペースをプリント配線板上に新たに設けることが不要である。従って、カードホルダの大型化を招くことなく、より簡便に第１から第６のプリント配線板１２Ａ〜Ｆの組立順序の過誤を防止することができる。
【００５０】
また、第１から第５のスタッキングコネクタ１３Ａ〜Ｅを第１から第６のプリント配線板１２Ａ〜Ｆの外周部の近傍の第２の位置５６に配置することで、第１から第５のスタッキングコネクタ１３Ａ〜Ｅを見やすくしている。従って、接続が容易になり作業効率が向上するとともに、第１から第５のスタッキングコネクタ１３Ａ〜Ｅの幅Ｗ１〜５の変化を確認しながら組み立てることができる。
【００５１】
尚、本実施の形態においては、第１のスタッキングコネクタ１３Ａから第５のスタッキングコネクタ１３Ｅにいくにつれて、順に幅Ｗ１〜５が短くなる構造を説明したが、これに限定されることはない。即ち、第１から第５のスタッキングコネクタ１３Ａ〜Ｅの形状が互いに異なり、接続可能な１対のプリント配線板を決定できれば良い。組立時の作業効率の観点からは、第１から第６のプリント配線板１２Ａ〜Ｆの組立順序がわかりやすくするために、第１から第５のスタッキングコネクタ１３Ａ〜Ｅの形状を順に変化させることがより望ましい。また、第１から第６のプリント配線板１２Ａ〜Ｆの表面に組立順序を示す番号を付記し、組立順序の過誤を更に抑制するとしても良い。
【００５２】
尚、本発明は上記実施の形態そのままに限定されるものではなく、実施段階ではその要旨を逸脱しない範囲で構成要素を変形して具現化できる。また、上記実施の形態に開示されている複数の構成要素の適宜な組み合わせにより、種々の発明を形成できる。例えば、実施の形態に示される全構成要素から幾つかの構成要素を削除してもよい。更に異なる実施の形態にわたる構成要素を適宜組み合わせても良い。
【符号の説明】
【００５３】
１１  カードホルダ
１２Ａ〜Ｆ  第１から第６のプリント配線板
１３Ａ〜Ｅ  第１から第５のスタッキングコネクタ
１４  プリント配線板ユニット
１５  ベース
１５Ａ  底壁
１５Ｂ  側壁
１６  ガイド
１７  支持部材
１８  受け片
１８Ａ  ねじ穴
１９  折り曲げ部
２１  貫通孔
２２  開口部
２３  保持爪
２４  爪部
２５  ピン
２６  フック
２７  第１の面
２８  第２の面
３１Ａ〜Ｆ  第１から第６の溝部
３２  カード
３３Ａ〜Ｆ  第１から第６のカードコネクタ
３４  回路部品
３５  小片
３６  開放部
３７  本体
３８  取付部
３９  端近部
４２Ａ〜Ｆ  第１から第６の突出片
４３Ａ〜Ｅ  第１から第５の当接片
４４  孔部
４５  通孔
４６  固定孔
４７  リブ
４８  ねじ
Ｓ  差し込み方向
【図１】
2011103485.tif 000003
【図２】
2011103485.tif 000004
【図３】
2011103485.tif 000005
【図４】
2011103485.tif 000006
【図５】
2011103485.tif 000007
【図６】
2011103485.tif 000008